(57)【特許請求の範囲】
【請求項１】
打面を形成したパッド部と該パッド部の周囲に配設したリム部とからなる電子打楽器用ゴムパッドにおいて、
前記パッド部と前記リム部が異なる色のゴムで一体に成形されており、そのパッド部と前記リム部との色の境界部の外表面側に溝を設けたことを特徴とする電子打楽器用ゴムパッド。
【請求項２】
前記パッド部と前記リム部が、色および硬度の異なるゴムで一体に成形されていることを特徴とする請求項１記載の電子打楽器用ゴムパッド。
【請求項３】
請求項１又は２記載の電子打楽器用ゴムパッドを成形する金型として、上型内面の前記パッド部を成形する部分と前記リム部を成形する部分との境界部に突状の仕切部を設けたものを用い、該仕切部の両側に異なる色のゴム材を入れ、一度の成形で前記電子打楽器用ゴムパッドを成形することを特徴とする電子打楽器用ゴムパッドの製造方法。
【発明の詳細な説明】
【０００１】
【発明の属する技術分野】
この発明は電子打楽器用ゴムパッドおよびその製造方法に関し、特に複数色のゴムで成形する電子打楽器用ゴムパッドに関するものである。
【０００２】
【従来の技術】
電子ドラムは、自然打楽器のドラムであるアコースティックドラムを電子化した電子打楽器であり、電子ドラム用ゴムパッド（以下、単に「ゴムパッド」と云う）に形成した打面をスティック（打棒）などで打撃すると、その強弱などの打撃状態がパッドの裏側に設けられた圧電素子などの打撃センサにより検知され、その検知信号に基づいて電子音源から電子音が発生する。
ところで、アコースティックドラムの奏法には、打面を打撃する通常の奏法の他に様々な奏法があり、例えば、スネアドラムなどのリム部を打撃するリムショット奏法などもある。このリムショット奏法を行うと、通常の打撃（打面を打撃）の時とは異なる音色の楽音を発生することができる。近年、このような奏法を電子ドラムでも実現可能にするために様々な工夫がなされている。例えば、ゴムパッドのリム部にリムスイッチなどの打撃センサを設けて、リム部への打撃を検出する電子ドラムも既に開発されている。
【０００３】
このリムスイッチなどの打撃センサは、スティックなどで直接的に打撃されないようにゴムパッドの裏面など、打面以外の場所に配設されることが多く、また、リム部にリムスイッチを設けたゴムパッド（以下、「リムスイッチ付きゴムパッド」と云う）と設けないゴムパッド（以下、「リムスイッチ無しゴムパッド」と云う）とは外形の形状が同じである。よって、これらを外観で見分けるのは難しい。
しかし、この２種類のゴムパッドが混在して使用される場合がある。例えば、複数のゴムパッドを演奏者の周りにセットしてアコースティックドラムセットのように演奏するとき、アコースティックドラムセットにはリムショット奏法を行うドラムと通常はリムショット奏法を行わないドラムの両方があるので、同様にして、電子ドラムセットにリムスイッチ付きゴムパッドとリムスイッチ無しゴムパッドの両方を用いる場合がある。そのため、これら２種類のゴムパッドを外観で区別がつくようにする必要がある。
また、全てリムスイッチ付きゴムパッドにするとコストが高くなるため、リムスイッチ無しゴムパッドも混ぜて製造する。そのため、製造過程中でも両者を外観で見分けられるようにする必要がある。
【０００４】
そのため、従来からリムスイッチ付きゴムパッドとリムスイッチ無しゴムパッドとを外観で区別できるようにする方法が検討されている。
例えば、これら２種類のゴムパッドの成形時にいずれか一方にマークをつけるなど、それぞれの外形の形状を変えて区別する方法があった。しかし、この方法はゴムパッドを製造する金型が２種類（例えばマークを施したゴムパッド用金型とマークを施さないゴムパッド用金型の２種類）必要になるため、コスト高になるという問題があった。
また、これら２種類のゴムパッドの一方に塗料や印刷などで目印の色やマーク等を付けて区別する方法もあった。しかし、電子打楽器のゴムパッドは激しく打撃されるので、その衝撃により塗料や印刷などが剥げてしまい、耐久性が悪いという問題があった。
【０００５】
そこで、これら２種類のゴムパッドの少なくとも一方のリム部を、２色成形により他の部分（打面を形成したパッド部など）とは異なる色のゴムで成形することによって、リムスイッチ付きゴムパッドとリムスイッチ無しゴムパッドとを区別する方法が考えられる。
この方法を用いると、リムスイッチ付きゴムパッドとリムスイッチ無しゴムパッドを外観で容易に見分けることができる。しかも、これら２種類のゴムパッドを同じ金型で製造できるという利点があり、しかも、打撃を受けてもゴム自体の色が剥げることはないので、耐久性に優れている。
【０００６】
【発明が解決しようとする課題】
しかしながら、このように２色成形によって、ゴムパッドのリム部とパッド部とを異なる色のゴムで成形する場合、以下に説明するように、従来のゴムパッドの形状のまま、すなわち従来の成形金型を使用して成形すると、リム部とパッド部との色の境界がはっきりせず、滲んだ状態になってしまうので、ゴムパッドの外観の見栄えが悪くなるという問題点があった。
【０００７】
ここで、このような従来の電子打楽器用ゴムパッドとその製造方法について図面によって簡単に説明する。図５はそのゴムパッドを成形するのに使用する金型の一例を示す断面図である。そして、図６はこの金型を使用して２色成形して製造した従来の電子楽器用ゴムパッドの断面図、図７はそのゴムパッドの色分けを示す平面図であり、それぞれパッド部とリム部の同じ色分けを示している。
従来のゴムパッドは、図５に示す金型１３０の上型１３１（キャビティ部）と下型１３２（コア部）との間に形成されるキャビティ１３３ａ，１３３ｂに配合したゴムを入れ、その金型を熱板間に挟んで加圧しながら加硫して成形するプレス成形（コンプレッション成形）で製造される。また、その上型１３１と下型１３２との間のキャビティはパッド成形部１３３ａとリム成形部１３３ｂとからなっていて、そこにそれぞれ異なる色のゴムを入れて一度にプレス成形することによって、図６及び図７に示すゴムパッド１００のパッド部１１１とリム部１１２とが一体成形される。
【０００８】
ここで、例えば、パッド部１１１が青色でリム部１１２が黒色のゴムパッドを製造する場合、図５に示した金型１３０に形成されるキャビティのパッド成形部１３３ａに青色のゴムを入れ、リム成形部１３３ｂに黒色のゴムを入れてプレス成形するが、その時、キャビティ内の色の境界部１３３ｃ付近で青色のゴムと黒色のゴムが混ざりあってしまう。
そのため、成形されたゴムパッド１００は、図６および図７に示すようにリム部１１２の黒色とパッド部１１１の青色がその境界部１１３付近で滲み合い、２色のゴムの境界がはっきりしなくなる。そのため、このゴムパッド１００を図示していない鉄板等からなる本体に被せて電子ドラム用パッド等を構成したとき、打面となる外表面側から見た外観上の見栄えが悪くなるという問題があった。
【０００９】
ところで、このような２色成形の境界部における色の滲みを防止して見栄えを改善する従来の方法として、色が異なる部分の材質を変える方法がある。例えば、青色の部分を青いプラスティックで、黒色の部分を黒いゴムで一体に成形する方法がある。
しかし、この方法では異なる材質の接合面の強度が弱くなってしまうため、電子ドラム等の電子打楽器のゴムパッドのように激しい衝撃を受けるものには適さない。また、製造時の工程数が増えてしまうという問題もある。
【００１０】
この発明は、このような問題を解決するためになされたものであり、電子打楽器用ゴムパッドを、パッド部とリム部を異なる色のゴムで成形して、リムスイッチ付きゴムパッドとリムスイッチ無しゴムパッドとを外観で容易に見分けられるようにすると共に、耐久性を損なうことなくその色の境界部における色の滲みを防止して外観上の見栄えを改善すること、およびそのゴムパッドを、従来の２色成形と同様に一工程で簡単に製造できるようにすることを目的とする。
【００１１】
【課題を解決するための手段】
この発明は、打面を形成したパッド部とそのパッド部の周囲に配設したリム部とからなる電子打楽器用ゴムパッドにおいて、上記の目的を達成するため、パッド部とリム部を異なる色のゴムで一体に成形し、そのパッド部とリム部との色の境界部の外表面側に溝を設けたものである。
上記パッド部とリム部が、色および硬度の異なるゴムで一体に成形されていてもよい。
また、この発明による電子打楽器用ゴムパッドの製造方法は、上型と下型からなる金型として、上型内面の上記パッド部を成形する部分と上記リム部を成形する部分との境界部に突状の仕切部を設けたものを用い、その仕切部の両側に異なる色のゴム材を入れ、一度の成形で上記ゴムパッドを成形する方法である。
その成形方法としては、プレス（コンプレッション）成形が簡単であるが、注入式（トランスファー）成形などの他の成形方法をを用いてもよい。
【００１２】
また、上記電子打楽器用ゴムパッドにおいて、パッド部とリム部以外の部分を更に異なる色のゴムで一体に成形し、色の境界部の外表面側にそれぞれ溝を設けるようにしてもよい。この場合、電子打楽器用ゴムパッドの色数が増えてカラフルになるので、外観上の見栄えが一層良くなる。
そして、３色以上の電子打楽器用ゴムパッドを製造する時は、金型の上型内部に突状の仕切部を複数設けた金型を用い、その仕切部で区切られた部分にそれぞれ異なる色のゴム材を入れ、一度のプレス成形で多色成形する方法で製造するとよい。
【００１３】
さらに、上記いずれかの電子打楽器用ゴムパッドを備えた電子打楽器を提供できる。また、上記方法で製造すれば、電子打楽器用ゴムパッド以外のゴム成形部材も多色成形できる。
【００１４】
【発明の実施の形態】
以下、この発明の実施の形態を図面を参照して具体的に説明する。
図１はこの発明による電子打楽器用ゴムパッド（以下単に「ゴムパッド」と云う）を備えた電子打楽器の一実施形態である電子ドラム用パッド（以下「ドラムパッド」と云う）の外観を示す斜視図である。
このドラムパッドの外形は、本体２と、その本体２と嵌合した状態でその外側に設けられるゴムパッド１とからなる。さらに、このドラムパッドは、ゴムパッド１が受けた打撃を検知する打撃センサおよびリムスイッチをゴムパッド１と本体２との間に内蔵しているが、外観上見えないので図示していない。
【００１５】
このドラムパッドのゴムパッド１は、打面を形成した円盤状のパッド部１１と、そのパッド部１１の外周に沿って配設した円環状のリム部１２とからなり、そのパッド部１１およびリム部１２は異なる色のゴムで一体に成形されている。そして、そのパッド部１１とリム部１２との色の境界部の外表面に環状の溝１４を設けている。このゴムパッド１については、その詳細を後述する。
一方、本体２は、上面が平坦で下面が外側に少し湾曲した円盤状に形成され、外周がフランジ状に形成されており、その上面とフランジ状の外周部にゴムパッド１を被せるように嵌合させる。その本体２の下面の中央部に直径方向に沿って傾斜した突部２１を持つ。この突部２１の外端面に水平方向の取付穴２２を設けている。
【００１６】
さらに、この突部２１に取付穴２２と直交する方向にねじ込む締付け用操作ネジ２３を設けている。また、本体２の下面にこの突部２１の側部に隣接してジャックホルダ２４を設け、そこに打撃センサによる打撃検知信号およびリムスイッチによるリムショット検知信号を出力するためのジャック２５，２６を配設している。
突部２１の取付穴２２および操作ネジ２３は、このドラムパッドを電子ドラムセット用ラックなどのドラムパッド支持具に取り付けるためのものである。ドラムパッドを電子ドラムセット用ラックに取り付ける時は、その支持ロッドを取付穴２２に挿入し、高さや角度などを演奏者が打撃し易い位置に調節した後、操作ネジ２３によって締めて固定する。
【００１７】
次に、ゴムパッド１についてその詳細を説明する。
図２はゴムパッドの色分けを示す平面図であり、そのパッド部１１は青色であることを示すために細かい平行な横線を入れ、リム部１２は黒色であることを示すために縦横の網目線を施している。この図から明らかなように、このゴムパッド１は、打面を形成する青色のパッド部１１と、そのパッド部１１の外周に沿って設けられた黒色のリム部１２とからなり、そのパッド部１１とリム部１２は青色のゴムと黒色のゴムで一体に成形されている。そして、その青色のパッド部１１と黒色のリム部１２との境界部に環状の溝１４を形成している。
【００１８】
図３は図２のＡ−Ａ線に沿うゴムパッドの部分的な拡大断面図であり、図２と同じ色分けを示している。この図３に示すように、このゴムパッド１は、打面を形成した青色のパッド部１１と黒色のリム部１２との色の境界部１３付近で互いに入り混じっているので、パッド部１１とリム部１２が強固に一体成形され、激しい衝撃にも充分耐えられる。
なお、ゴムパッド１は前述した通り本体２の上側に嵌合されるが、その状態で外から見える面（打面１１ａを形成する側の面）を「外表面」と云う。図３では上側の面である。
【００１９】
リム部１２は、リムショットを受ける蒲鉾形に盛り上がった被打撃部１２ａと、その被打撃部１２ａの縁部から下側に周り込むように設けた嵌合部１２ｂとからなる。リム部１２の内表面（外表面と反対側の面）には、本体２の縁端部との嵌合を確実するために複数の突部やへ凹部が形成されている。
一方、パッド部１１の外表面は打面１１ａを形成するために略平面になっている。また、このパッド部１１の内表面側には段差が有り、リム部１２に近い肉厚が厚い部分は本体２と接触する。
【００２０】
ところで、このゴムパッド１のパッド部１１リム部１２の境界部１３の外表面側には、前述のように溝１４が設けられいる。この境界部１３では、リム部１２から流れ込んだ黒色のゴムと、パッド部１１から流れ込んだ青色のゴムとが互いに入り混じっている。
しかし、その青色のパッド部１１と黒色のリム部１２との境界部の外表面側に環状の溝１４を形成している。そのため、その溝１４の部分では青色のゴムと黒色のゴムが混じりあうことはなく、且つこの溝１４が見切りの作用もなし、図２に示したように非常に見栄えがよくなる。
なお、パッド部１１とリム部１２を色だけでなく硬度も異なるゴムで成形することもできる。例えば強い衝撃を受けるリム部１２をパッド部１１より硬度の高い（固い）ゴムで成形することもできる。
【００２１】
次に、このゴムパッド１を２色成形によって製造方法について説明する。
図４はこの発明による電子打楽器用ゴムパッドを成形する際に使用する金型の一例を、部分的に拡大して示す断面図である。
この金型３は上型（キャビティ部）３１と下型（コア部）３２とからなる。上型３１の内面は、図３に示すゴムパッド１のパッド部１１とリム部１２の被打撃部１２ａの外表面を成形する型になっている。そして、そのパッド部１１の外表面を成形する部分とリム部１２の外表面を成形する部分との境界部には、溝１４を形成するための突状の仕切部３６を環状に設けている。
一方、下型３２の内面は、パッド部１１の内表面とリム部１２の被打撃部１２ａの内表面および嵌合部１２ｂを成形する型になっている。なお、嵌合部１２ｂを成形する部分はアンダカット形状になっているため、型抜きができないように見えるが、ゴム材を成形するので弾性があるため型抜きが可能である。
【００２２】
この金型３を用いて前述したゴムパッド１を成形するには、上型３１と下型３２を型締めして内部に形成されるキャビティのうち、仕切部３６の内側のパッド成形部３３ａに青色のゴム材を入れ、仕切部３６の外側のリム成形部３３ｂに黒色のゴム材を入れる。そして、この金型３を熱板間にはさみ、加圧しながら可硫して成形する。つまり、一度のプレス成形（コンプレッション成形）で２色成形する。
この時、キャビティのリム成形部３３ｂに入れた黒色のゴム材は仕切部３６によって堰き止められ、仕切部３６の下側から溢れたゴム材はキャビティ内の色の境界部３３ｃからパッド成形部３３ａに少し流れ出る。
同様に、キャビティのパッド成形部３３ａに入れた青色のゴム材も仕切部３６によって堰き止められ、仕切部３６の下側から溢れたゴム材は、キャビティ内の色の境界部３３ｃからリム成形部３３ｂに少し流れ出る。
【００２３】
そのため、図３に示したように（図３は図４の型に対応する大きさのゴムパッドになっている）、青色のパッド部１１と黒色のリム部１２との色の境界部１３の外表面側に仕切部３６によって溝１４が形成され、パッド部１１とリム部１２の境界部１３付近の下半部では青色のゴム材と黒色のゴム材が入り混じって強固に結合されたゴムパッド１が、一度の成形工程で成形される。
なお、色が混り合う境界部１３は外表面側に設けた溝１４の影になって外からは殆ど見えないので、外観上の見栄えを損なうことはない。なお、成形に使用するゴムの色は青色と黒色に限るものではなく、任意の色のゴムを組み合わせて成形することができる。
さらに、パッド部１１とリム部１２を色だけでなく硬度も異なるゴムで成形することもでき、その場合も強固に結合されて一体に成形できる。
【００２４】
また、図４に示した金型はパッド部とリム部を同じ色のゴムで成形する一色成形を行う際にも兼用することができる。その場合もパッド部とリム部の境界部の外表面に溝が形成されるが、それは一種のアクセントになり、外観を損なうようなことはない。
さらに、上型に突状の仕切部を設けて一工程で２色成形する方法は、上述したプレス（コンプレッション）成形に限るものではなく、例えば注入式（トランスファー）成形などの他の成形方法で成形しても同等の効果が得られる。
【００２５】
また、図１から図４に示したゴムパッドはいずれもパッド部とリム部との色が異なる２色のゴムパッドであるが、色の種類は２色に限るものではなく、パッド部とリム部以外の部分を更に異なる色のゴムで一体に成形し、色の境界部の外表面側にそれぞれ溝を設けるようにしてもよい。この場合、電子打楽器用ゴムパッドの色数が増えてカラフルになるので、外観上の見栄えが一層良くなる。
例えば、パッド部とパッド部の縁部に配設したリム部とパッド部の中央に配設したカップ部とからなる電子打楽器用ゴムパッド（電子ハイハット用ゴムパッド）において、パッド部とリム部とカップ部とをそれぞれ異なる色、あるいは色と硬度のゴムで一体に成形し、パッド部とリム部の境界部の外表面側およびパッド部とカップ部の境界部の外表面側にそれぞれ溝を設ければ、色の滲みがなく外観上の見栄えの良い３色のゴムパッドができる。
【００２６】
あるいは、リム部を複数に（例えば左右に）分割して、それぞれ異なる色のゴムで成形することによって、３色成形することもできる。
そして、３色以上のゴムパッドを製造する時は、金型の上型内部に必要数の突状の仕切部を設けた金型を用い、キャビティ内のその仕切部で区切られた部分ごとにそれぞれ異なる色のゴム材を入れ、一度のプレス成形で多色成形することもできる。
さらに、この製造方法は電子打楽器用ゴムパッドに限るものではなく、他のゴム成形部材にも応用可能である。
【００２７】
【発明の効果】
以上説明してきたように、この発明による電子打楽器用ゴムパッドによれば、パッド部とリム部とを異なる色のゴムで一体に成形し、そのパッド部とリム部との色の境界部の外表面側にそれぞれ溝を設けているので、２色成形のゴムパッドの色の滲みを防止して、外観上の見栄えを改善することができると共に、リムスイッチ付きゴムパッドとリムスイッチ無しゴムパッドの少なくとも一方のリム部をパッド部とは異なる色のゴムで成形することによって、これら２種類のゴムパッドを外観上容易に見分けられるようにできる。
さらに、パッド部とリム部とを、色のみ異なる同じゴム材で一工程で成形するので、その色の境界部は打撃に対して充分な耐久性を持つことができ、しかも、単色のゴムパッドを製造する時と比較して工程数が増えないので、製造コストが高くなるのを防ぐことができる。
【図面の簡単な説明】
【図１】この発明による電子打楽器用ゴムパッドの一実施形態である電子ドラム用パッドの外観を示す斜視図である。
【図２】図１におけるゴムパッドの色分けを示す平面図である。
【図３】図２のＡ−Ａ線に沿う部分的な拡大断面図である。
【図４】図１〜図３に示したゴムパッドを成形するための金型の例を示す部分的な断面図である。
【図５】従来の電子打楽器用ゴムパッドの成形に使用する金型の縦断面図である。
【図６】図５の金型を使用して２色成形されたゴムパッドの縦断面図である。
【図７】同じくそのゴムパッドの色分けを示す平面図である。
【符号の説明】
１…ゴムパッド、２…本体、３…金型、１１…パッド部、１１ａ…打面、１２…リム部、１２ａ…被打撃部、１２ｂ…嵌合部、１３…境界部、１４…溝、２１…突部、２２…取付穴、２３…操作ネジ、２４…ジャックホルダ、２５，２６…ジャック、３１…上型、３２…下型、３３ａ…キャビティのパッド成形部、３３ｂ…キャビティのリム成形部、３３ｃ…キャビティ内の色の境界部、３６…突状の仕切部
【図１】
0003849565.tif 000002
【図２】
0003849565.tif 000003
【図３】
0003849565.tif 000004
【図４】
0003849565.tif 000005
【図５】
0003849565.tif 000006
【図６】
0003849565.tif 000007
【図７】
0003849565.tif 000008